(57)【特許請求の範囲】
【請求項１】
２つの空間を連通する開口を形成する枠体に開閉自在に設けられる障子と、
前記障子が案内されるレールを備えたアルミニウム製の下枠と、
前記下枠の前記レール上を移動する前記障子より前記２つの空間のうちの一方の空間側に設けられ、前記下枠と前記一方の空間の床との間に着脱自在に架け渡されるアルミニウム製の架渡部材と、
前記架渡部材の前記２つの空間のうちの他方の空間側に設けられ、前記障子との間をシールする障子側シール部と、前記下枠との間をシールする下枠側シール部とを備えた下側シール材と、
前記下枠に設けられた樹脂製のカバー部材と、
を有し、
前記架渡部材は、前記下枠と前記一方の空間の床との間に架け渡されたときに前記カバー部材上に載置される脚部を有することを特徴とする建具。
【請求項２】
請求項１に記載の建具であって、
前記障子は、アルミニウム製であり、前記下側シール材は樹脂製であることを特徴とする建具。
【請求項３】
請求項１または請求項２に記載の建具であって、
前記下枠と前記架渡部材とは、上下に間隔を隔てて対向するとともに、前記下枠は前記一方の空間の前記床と係合され、
前記架渡部材より前記他方の空間側に進入した水は、前記下枠と前記架渡部材との間から前記一方の空間に排出されることを特徴とする建具。
【請求項４】
請求項１乃至請求項３のいずれかに記載の建具であって、
前記架渡部材は、前記下側シール材が前記他方の空間側から嵌合されるべく前記他方の空間側に向かって開放された下側シール嵌合溝を有していることを特徴とする建具。
【発明の詳細な説明】
【技術分野】
【０００１】
本発明は、２つの空間を連通する開口に設けられる建具に関する。
【背景技術】
【０００２】
２つの空間を連通する開口に設けられる建具としては、例えば、浴室外に水が浸入することを防止するために、下枠の、障子を案内するレールより浴室側に下枠から上方に立ち上げた立上部を形成し、この立上部に、閉じた障子の下框に当接するシール材が設けられている浴室の建具が知られている（例えば、特許文献１参照）。すなわち、障子より脱衣室側に水が浸入しにくいように構成されている。
【先行技術文献】
【特許文献】
【０００３】
【特許文献１】特開２００５−２０１０３５号公報
【発明の概要】
【発明が解決しようとする課題】
【０００４】
上記のような建具は、下枠のレールより浴室側に上方に立ち上げた立上部が設けられているので、レールと立上部との間に、進入してしまった水を浴室側に排出し難く、また、レールと立上部との間に埃等が溜まりやすく、掃除がしにくいという課題がある。
【０００５】
本発明は、かかる課題に鑑みてなされたものであり、その目的とするところは、高い止水性を備えつつも下枠上の水を排出し易く、掃除がし易い建具を提供することにある。
【課題を解決するための手段】
【０００６】
かかる目的を達成するために本発明の建具は、２つの空間を連通する開口を形成する枠体に開閉自在に設けられる障子と、前記障子が案内されるレールを備えたアルミニウム製の下枠と、前記下枠の前記レール上を移動する前記障子より前記２つの空間のうちの一方の空間側に設けられ、前記下枠と前記一方の空間の床との間に着脱自在に架け渡されるアルミニウム製の架渡部材と、前記架渡部材の前記２つの空間のうちの他方の空間側に設けられ、前記障子との間をシールする障子側シール部と、前記下枠との間をシールする下枠側シール部とを備えた下側シール材と、前記下枠に設けられた樹脂製のカバー部材と、を有し、前記架渡部材は、前記下枠と前記一方の空間の床との間に架け渡されたときに前記カバー部材上に載置される脚部を有することを特徴とする建具である。
【０００７】
このような建具によれば、下枠と一方の空間側の床との間に架け渡される架渡部材の他方の空間側に設けられ、障子との間をシールする障子側シール部と、下枠との間をシールする下枠側シール部とを備えた下側シール材を有しているので、障子を閉じた際には一方の空間の床から障子までの間を止水するとともに、架渡部材と下枠との間も止水することが可能である。このため、より止水性が高い建具を提供することが可能である。また、下側シール材は、架渡部材に設けられているので、下枠に取り付ける必要がなく、下枠に下側シール材を取り付ける部位も必要ない。このため下枠の表面を平坦にすることが可能であり、下枠上に至った水を容易に一方の空間側に排出するとともに、容易に掃除することが可能な建具を提供することが可能である。更に、下側シール材が設けられている架渡部材は、着脱自在なので、架渡部材を取り外して更に容易に掃除することが可能である。
【０００８】
かかる建具であって、前記障子は、アルミニウム製であり、前記下側シール材は樹脂製であることが望ましい。
このような建具によれば、下側シール材は樹脂製なので、当接される下枠、障子、架渡部材がアルミニウム製であったとしても、金属同士が接触するような音の発生を抑えることが可能であり、また、下枠、障子、架渡部材がキズつくことを防止することが可能である。
【０００９】
かかる建具であって、前記下枠と前記架渡部材とは、上下に間隔を隔てて対向するとともに、前記下枠は前記一方の空間の前記床と係合され、前記架渡部材より前記他方の空間側に進入した水は、前記下枠と前記架渡部材との間から前記一方の空間に排出されることが望ましい。  
このような建具によれば、下枠と架渡部材とは、上下に間隔を隔てて対向し、下枠が一方の空間の床と係合しているので、下枠と架渡部材との間を排水経路として確保することが可能である。また、排水経路となる下枠と架渡部材との間は、下枠との間をシールする下枠側シール部によりシールされているので、排水経路から逆流して下枠上に向かう水を下枠側シール部にて止水することが可能である。
【００１０】
かかる建具であって、前記架渡部材は、前記下側シール材が前記他方の空間側から嵌合されるべく前記他方の空間側に向かって開放された下側シール嵌合溝を有していることが望ましい。  
このような建具によれば、障子より一方の空間側に設けられる架渡部材の他方の空間側に設けられ、障子との間をシールする障子側シール部を備えた下側シール材が嵌合される下側シール嵌合部は、他方の空間側に向かって開放されているので、下側シール材を他方の空間側から嵌合させて容易に取り付けることが可能である。また、下側シール嵌合部に嵌合された下側シール材は、架渡部材と障子との間に配置されるので、下側シール材が架渡部材と障子との間をシールしている状態では、下側シール材は架渡部材側、すなわち、下側シール嵌合溝の奥側に向かって押圧される。このため、下側シール材は、外れ難いばかりでなく、架渡部材と障子との間をより確実にシールすることが可能である。
【発明の効果】
【００１１】
本発明によれば、高い止水性を備えつつも、浴室側への排水及び掃除がし易い浴室建具を提供することが可能である。
【図面の簡単な説明】
【００１２】
【図１】本実施形態に係る建具の横断面図である。
【図２】本実施形態に係る建具の出入口側における縦断面図である。
【図３】本実施形態に係る建具の壁部側における縦断面図である。
【図４】脱衣室側の障子と下枠とのシール構造を説明するための縦断面図である。
【図５】浴室側の障子と下枠とのシール構造を説明するための縦断面図である。
【発明を実施するための形態】
【００１３】
以下、本発明の一実施形態に係る建具について図面を参照して説明する。  
本実施形態の建具は、２つの空間である浴室と脱衣室とを連通する開口に設けられる浴室建具１であり、例えば、図１に示すように、２つの空間のうちの他方の空間側となる脱衣室側から見て左側の領域が閉止可能な開口でなる出入口２をなし、右側の領域が壁部３をなして、壁部３の脱衣室側を見付け方向に沿って移動する２枚の障子５が、前記出入口２を開閉可能に構成された引き込み戸タイプの建具である。
【００１４】
以下の説明においては、建物等に取り付けられた状態の浴室建具１を脱衣室側から見たときに、上下となる方向を上下方向、左右となる方向を左右方向または見付け方向、浴室内外方向である奥行き方向を見込み方向として示す。また、建具１が備える各部材は、単体の状態であっても建物等に取り付けられた状態にて奥行き方向、左右方向、上下方向となる方向にて方向を特定して説明する。
【００１５】
浴室建具１は、浴室内外の境界に設けられる枠体１０と、枠体１０の脱衣室側の部位にて見付け方向に移動可能に設けられ、枠体１０における見付け方向の約２／３の領域を開閉自在に設けられた２枚の障子５と、壁部３側の枠体１０の内周側に設けられる壁面材２１と、枠体１０が有する下枠１４の、障子５が取り付けられる位置より浴室側にて下枠１４と上下に間隔を隔てて配置される架渡部材２２と、を有している。ここで、浴室が、２つの空間のうちの一方の空間に相当する。
【００１６】
枠体１０は、アルミニウム製の押出成形部材でなり、図１〜図３に示すように、左右の縦枠１１、１２、上下の横枠１３、１４、及び、左右の縦枠１１、１２のほぼ中央に設けられた縦骨２０と、を有している。縦骨２０は、見込み方向において左の縦枠１１の幅のほぼ半分の幅を有し、浴室内側に設けられており、右の縦枠１２は２枚の障子５より脱衣室側にて額縁３３と接合されており、浴室側の部位が、縦骨２０の脱衣室側のほぼ半分の部位と対向している。すなわち、縦骨２０の脱衣室側の部位と右側の縦枠１２の浴室側の部位とは、見込み方向における中央近傍にて、見付け方向に対向するように配置されており、この対向する部位にて端部が支持されて、壁部３の脱衣室側の壁面をなす壁面材２１が設けられている。
【００１７】
左側の縦枠１１は、右側の縦枠１２の脱衣室側と同様に額縁３３と接合された部位が、右側の縦枠１２と対向するように設けられており、左の縦枠１１の浴室側は、縦骨２０の浴室側の部位と対向するように設けられている。
【００１８】
下枠１４は、躯体(不図示)に支持されるとともに、図２に示すように、脱衣室側の床材３０から浴室側に設けられた防水パン３５に架け渡される下枠本体１５と、上面に前記２枚の障子５を案内する２本の下レール１６ａを有し下枠本体１５上に載置されるレール部材１６とを有している。
【００１９】
下枠本体１５は、躯体上に載置されて断面が矩形状をなす中空部１５ａと、中空部１５ａの脱衣室側の壁部１５ｂの上端から上方に延出された立上部１５ｃと、立上部１５ｃの上縁から脱衣室側に延出され床材３０の端部を上から覆う床材覆い部１５ｄと、中空部１５ａの浴室側の壁部１５ｅの上端から浴室側に延出された部位とを有している。本実施形態の建具１は、脱衣室側から見て縦骨２０の左側が出入口２をなし、右側が壁部３をなしているので、下枠本体１５における中空部１５ａの浴室側の壁部１５ｅの上端から浴室側に延出された部位の形状が、図３、図４に示すように、出入口２側と壁部３側とで相違している。
【００２０】
また、下枠本体１５は押出成形部材なので、まず断面形状が同一の部材が押出成形された後に、出入口２側と壁部３側とに加工を施して形成されている。押出成形にて形成されて加工が施される前の基材は、中空部１５ａの浴室側の壁部１５ｅの上端から浴室側に延出された延出部１５ｆと、延出部１５ｆの先端に設けられ防水パン３５に設けられた溝部３５ａに挿入される防水パン係合部１５ｇと、を有している。
【００２１】
延出部１５ｆには、中空部１５ａの浴室側の壁部１５ｅに近い側にて浴室側が低くなる段部１５ｈが形成されており、段部１５ｈから浴室側に繋がった部位には、見付け方向に沿って設けられ上方に向かって突出されて上端部に、壁部３に設けられて脱衣室側の壁面を形成する壁面材２１が支持される面材支持部１５ｉが形成されている。
【００２２】
面材支持部１５ｉの浴室側には、下方に凹設されて後述する樹脂製のカバー部材１７が嵌合される嵌合溝１５ｊが見付け方向に沿って形成されている。基材は、出入口２側では面材支持部１５ｉが基端から、ほぼ平坦になるように切除され、壁部３側では嵌合溝１５ｊを形成する部位を残して浴室側の部位が切除されて下枠本体１５が形成されている。そして、出入口２側には、面材支持部１５ｉを切除した切除面を覆うとともに段部１５ｈの脱衣室側と浴室側とを繋ぐ傾斜面を備えたカバー部材１７が嵌合溝１５ｊに嵌合されている。このため、下枠本体１５の出入口側は、立上部１５ｃより浴室側の表面が、浴室側に向かって高さが低くなるような傾斜を有している。ここで、カバー部材１７は、出入口２側のみに設けられている。
【００２３】
レール部材１６もアルミニウム製の押出成形部材であり、同一の断面形状をなす３つの部材が、図１に示すように、見付け方向に並べて設けられている。レール部材１６は、下枠本体１５の立上部１５ｃと近接する位置と段部１５ｈの脱衣室側の部位に載置される２つの脚部１６ｂと、見込み方向に間隔を隔てて設けられた２つの脚部１６ｂの上端を繋ぎ段部１５ｈより浴室側に突出する上面部１６ｃとを有している。
【００２４】
上面部１６ｃには、見付け方向に沿って設けられ見込み方向に間隔を隔てて上方に突出された２本のレール１６ａが形成されている。２本のレール１６ａの見込み方向における間には、ほぼ中央に上方に突出され先端側に障子間シール材５０が嵌合される嵌合溝１６ｅが形成された嵌合突部１６ｄが設けられている。この嵌合突部１６ｄの嵌合溝１６ｅには、見込み方向において両側にて移動する障子５の下框６ａとそれぞれ摺接する障子間シール材５０が嵌合される。障子間シール材５０は、見付け方向に沿う全域に設けられており、嵌合溝１６ｅに嵌合される嵌合部が障子と摺接するヒレ部５０ａより硬質な樹脂にて形成されており、図４においては、障子間シール材５０において硬質な部位をグレーにて示している。
【００２５】
また、上面部１６ｃの、浴室側の脚部１６ｂより浴室側に突出している浴室側突出部１６ｆは、カバー部材１７の脱衣室側の部位と上下方向に間隔を隔てて対向している。このレール部材１６は、下枠本体１５の中空部１５ａの上面であって立上部１５ｃの近傍に設けられ、上方に突出する突起１５ｋに脱衣室側の脚部１６ｂが係合して位置決めされ、取り外し自在に設けられている。
【００２６】
２枚の障子５は、各々矩形状に框組みされたアルミニウム製の框体６と、框体６の内周側に設けられた透光性を有する面材７とを有している。框体６が有する下框６ａは、下方に開放されており、内部にレール１６ａに案内されるガイド部材９が設けられている。框体６が有する上框６ｂの内部には、上枠１３の上レール１３ａに案内されるガイド部材８が設けられるとともに、上レール１３ａに当接される上シール材５１が見付け方向に沿って設けられている。
【００２７】
２枚の障子５が閉じられたときに左側の縦枠１１と係合する縦框６ｃには、図１に示すように、左側の縦枠１１に上下方向に沿って設けられた左シール材１１ａが縦框６ｃの全長にわたって当接される。２枚の障子５の召合せ框６ｄは、障子５が閉じられたときに互いに対向するとともに互いに引き寄せるように係合する。また、脱衣室側の障子５の召合せ框６ｄに上下方向に沿って設けられた召合せシール材５２が浴室側の障子５の召合せ框６ｄにその全長にわたって当接される。また、２枚の障子５が閉じられたときに縦骨２０側に位置する浴室側の障子５の縦框６ｅは、障子５が閉じられたときに互いに対向するとともに互いに引き寄せるように係合する。そして、縦骨２０の脱衣室側の面に上下方向に沿って設けられた縦骨シール材５３が浴室側の障子５の縦框６ｅにその全長にわたって当接される。
【００２８】
架渡部材２２は、アルミニウム製の押出成形部材であり、図４に示すように、下枠本体１５に嵌合されているカバー部材１７上に載置される脚部２２ａと、脚部２２ａの上端から浴室側及び脱衣室側にそれぞれ延出され、下枠１４と上下に間隔を隔てて対向する架渡傾斜板部２２ｂと、架渡傾斜板部２２ｂの浴室側の端部に設けられ防水パン３５の床面３５ｂに当接される床シール材５５が嵌合される浴室嵌合溝２２ｃと、架渡傾斜板部２２ｂの脱衣室側の端部に設けられ脱衣室側に向かって開放されて浴室側の障子５の浴室側をシールする下側シール材としての浴室側シール材５４が脱衣室側から嵌合される下側シール嵌合溝としての脱衣室嵌合溝２２ｄと、を有している。
【００２９】
架渡部材２２は、脚部２２ａがカバー部材１７上に載置された状態で取り外し自在に取り付けられる。架渡部材２２が取り付けられた状態では、脱衣室嵌合溝２２ｄが設けられている側の端部が、下枠本体１５上に載置されたレール部材１６の浴室側突出部１６ｆの上に位置している。一方架渡部材２２の浴室嵌合溝２２ｃが設けられている側の端部は、下枠本体１５の防水パン３５に設けられた溝部３５ａより浴室内側に位置している。
【００３０】
架渡部材２２の脱衣室嵌合溝２２ｄに嵌合される浴室側シール材５４は、架渡部材２２の見付け方向の全域にわたって設けられている。浴室側シール材５４は、脱衣室嵌合溝２２ｄに嵌合される嵌合部５４ａと、嵌合部５４ａから脱室側に向かって延出され浴室側の障子５との間をシールする障子側シール部５４ｂと、嵌合部５４ａから下方に延出され、レール部材１６の上面に当接される下枠側シール部５４ｃとを有している。浴室側シール材５４の障子側シール部５４ｂと下枠側シール部５４ｃとは、嵌合部５４ａよりも軟質の樹脂にて２色成形されている。図４の浴室側シール材５４においては、障子側シール部５４ｂと下枠側シール部５４ｃより硬質な嵌合部５４ａをグレーにて示している。
【００３１】
レール部材１６は、脱衣室側の脚部１６ｂを突起１５ｋと係合させて、躯体に取り付けられている下枠本体１５上に載置され、架渡部材２２は、レール部材１６と浴室の防水パン３５との間に架け渡して載置される。そして、２枚の障子５が閉じられると、脱衣室側の障子５、すなわち左の縦枠１１と係合する障子５と下枠１４との間では、レール部材１６に設けられた障子間シール材５０における脱衣室側のヒレ部５０ａが脱衣室側の障子５の下框６ａの浴室側の面に当接してシールされる。また、浴室側の障子５、すなわち壁部３側に位置する障子５と下枠１４との間では、レール部材１６に設けられた障子間シール材５０における浴室側のヒレ部５０ａが浴室側の障子５の下框６ａの脱衣室側の面に当接してシールされるとともに、架渡部材２２に設けられた浴室側シール材５４の障子側シール部５４ｂが浴室側の障子５の下框６ａの浴室側の面に当接されてシールされる。このとき、浴室側の障子５の浴室側では、架渡部材２２に設けられた浴室側シール材５４の下枠側シール部５４ｃがレール部材１６に当接されることによりレール部材１６と架渡部材２２との間もシールしている。
【００３２】
本実施形態の浴室建具１によれば、下枠１４と浴室の防水パン３５との間に架け渡される架渡部材２２の脱衣室側に設けられ、浴室側の障子５との間をシールする障子側シール部５４ｂと、下枠１４のレール部材１６との間をシールする下枠側シール部５４ｃとを備えた浴室側シール材５４を有しているので、障子５を閉じた際には浴室の防水パン３５から障子５との間を止水するとともに、架渡部材２２と下枠１４との間も止水することが可能である。このため、より止水性が高い浴室建具１を提供することが可能である。
【００３３】
また、架渡部材２２及びレール部材１６が取り外し自在に構成されており、浴室側シール材５４は、架渡部材２２に設けられているので、下枠１４に浴室側シール材５４を取り付ける必要がなく、下枠１４に浴室側シール材５４を取り付ける部位を設ける必要もない。このため、架渡部材２２及びレール部材１６を取り外して露出される下枠本体１５の上面を平坦にすることが可能であり、下枠本体１５の上面に至った水を容易に浴室に排出するとともに、容易に掃除することが可能な浴室建具１を提供することが可能である。
【００３４】
また、浴室側シール材５４は樹脂製なので、当接される下枠１４のレール部材１６、障子５の下框６ａ、架渡部材２２がアルミニウム製であっても、金属同士が接触するような音の発生を抑えることが可能であり、また、レール部材１６、障子５の下框６ａ、架渡部材２２がキズつくことを防止することが可能である。また、架渡部材２２の脚部２２ａは、下枠本体１５に取り付けられている樹脂製のカバー部材１７上に載置されるので、架渡部材２２の脚部２２ａにおいても金属性の音の発生や損傷することを防止することが可能である。
【００３５】
また、下枠１４の下枠本体１５と架渡部材２２とは、上下に間隔を隔てて対向し、下枠１４の下枠本体１５の防水パン係合部１５ｇが浴室の防水パン３５に設けられた溝部３５ａに挿入されているので、下枠本体１５と架渡部材２２との間を排水経路として確保することが可能である。また、排水経路となる下枠本体１５と架渡部材２２との間は、下枠との間をシールする下枠側シール部５４ｃによりシールされているので、排水経路をなす下枠本体１５と架渡部材２２との間から逆流して下枠本体１５及びレール部材１６上に向かう水を下枠側シール部５４ｃにて止水することが可能である。
【００３６】
また、障子５より浴室側に設けられる架渡部材２２の脱衣室側に設けられ、障子５との間をシールする障子側シール部５４ｂを備えた浴室側シール材５４が嵌合される脱衣室側嵌合溝２２ｄは、脱衣室側に向かって開放されているので、浴室側シール材５４を脱衣室側から嵌合させて容易に取り付けることが可能である。また、脱衣室側嵌合溝２２ｄに嵌合された浴室側シール材５４は、架渡部材２２と障子５との間に配置されるので、浴室側シール材５４が架渡部材２２と障子５との間をシールしている状態では、浴室側シール材５４は架渡部材２２側、すなわち、脱衣室側嵌合溝２２ｄの奥側に向かって押圧される。このため、浴室側シール材５４は、外れ難いばかりでなく、架渡部材２２と障子５との間をより確実にシールすることが可能である。
【００３７】
上記実施形態においては、建具を浴室に用いた例について説明したが、浴室に限るものではない。例えば屋内外の境界部分に設けられる建具の場合には、上記実施形態における浴室側が屋外側となる。
【００３８】
上記実施形態においては、障子５の浴室側から当接される浴室側シール材５４、及び、障子間シール材５０にてシールする例について説明したが、たとえば、障子５の脱衣室側、すなわち、下枠本体１５の床材覆い部１５ｄにおける脱衣室側に、障子５に当接される下シール部と、下シール部より脱衣室側にて上方に立ち上がった水返し部と、を有するシール材を備えると、よりシール性を高めることが可能である。
【００３９】
また、上記実施形態においては、出入口２を開閉可能な障子５を２枚備えた浴室建具１の例について説明したが、これに限らず、障子５が１枚であったり、３枚以上の障子を備えていても構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４１】
１  浴室建具、２  出入口、３  壁部、５  障子、
１４  下枠、１６ａ  下レール、２２  架渡部材、２２ｄ  脱衣室側嵌合溝、
５４  浴室側シール材、５４ｂ  障子側シール部、５４ｃ  下枠側シール部
【図１】
0005829117.tif 000002
【図２】
0005829117.tif 000003
【図３】
0005829117.tif 000004
【図４】
0005829117.tif 000005
【図５】
0005829117.tif 000006